(57)【特許請求の範囲】
【請求項１】
基材の上層に情報隠蔽部材が積層され、前記情報隠蔽部材を前記基材から剥離することにより隠蔽情報の読み取りが可能となる情報隠蔽シートであって、
前記基材の上層にパターニングにより情報を付与した接着層を介して前記情報隠蔽部材を積層することにより、前記接着層に隠蔽情報を付与し、
前記基材が透明で、前記情報隠蔽シートの裏面に粘着層が設けられ、前記接着層が前記情報隠蔽部材剥離後に前記情報隠蔽部材裏面に形成されていることを特徴とする、隠蔽シール。
【請求項２】
請求項１記載のパターニングにより情報を付与した前記接着層が、着色されていることを特徴とする情報隠蔽シート。
【発明の詳細な説明】
【技術分野】
【０００１】
本発明は、情報隠蔽部材を基材から剥離することにより隠蔽情報が閲覧可能となる情報隠蔽シートに関する。
【背景技術】
【０００２】
従来、隠蔽シール貼付式隠蔽葉書（例えば特許文献１）、2つ折隠蔽葉書、３つ折り隠蔽葉書（例えば特許文献２）、隠蔽シール（例えば特許文献３）は、隠蔽される情報（以下、被隠蔽情報という）が記載された基材上に、被隠蔽情報の隠蔽が可能な情報隠蔽部材を、剥離可能な接着層を一様に形成しもしくは剥離層を設けることにより剥離性を持たせた接着層を一様に形成し貼り合わせる、もしくは周囲を剥離不可能な接着層で貼り合わせ隠蔽情報を表示した前記剥離不可能な接着部の内部に剥離可能な接着層をもしくは剥離層を設けることにより剥離性を持たせた接着層を一様に形成し貼り合わせを行っていた。
【０００３】
これらの媒体は、剥離部において、情報隠蔽部材剥離後に基材上に記載された隠蔽情報を読み取り可能なように、透明な接着剤を使用し、前記透明接着剤を全面に均一に印刷、塗布もしくは前面に均一にドットパターンで印刷、もしくはストライプ状に前記透明接着剤を印刷して透明接着層の形成をおこなっていた。
【特許文献１】特開平３−７１８３１号公報
【特許文献２】特開平６−１３５１８２公報
【特許文献３】特開２００２−１４６１４公報
【発明の概要】
【発明が解決しようとする課題】
【０００４】
上記文献１〜３における接着層は、情報隠蔽部材を基材上に貼付された状態で保持する機能、および剥離後は透明で被隠蔽情報の読み取りが可能となる機能を有していた。被隠蔽情報読み取りのため、情報隠蔽部材を剥離した後は、基材上の被隠蔽情報が読み取れるように透明であれば良く、剥離後は、接着層は不要な層となっていた。
【０００５】
そこで、本発明は、前記接着層に、基材上に情報隠蔽部材を保持し前記情報隠蔽部材剥離後に接着層が透明で基材上の被隠蔽情報が閲覧可能にする機能に加え、接着剤の形成パターンで接着層に情報を持たせることにより、基材に印刷された被隠蔽情報とは別に接着層による新たな情報を付与する機能を持たせた、もしくは基材に被隠蔽情報を印刷することなく接着層をパターニングすることにより被隠蔽情報を記載した情報隠蔽シートの提供を目的とする。
【０００６】
さらには、接着層に蛍光体を混合することにより、真贋判定可能な情報隠蔽シートの提供を目的とする。
【課題を解決するための手段】
【０００７】
本発明は以下の各態様によって上記目的を達成した。
【０００８】
本発明の第１の態様は、基材の上層に情報隠蔽部材が積層され、情報隠蔽部材を基材から剥離することにより隠蔽情報の読み取りが可能となる情報隠蔽シートであって、
前記基材の上層にパターニングにより情報を付与した接着層を介して前記情報隠蔽部材を積層することにより、前記接着層に新たな隠蔽情報を付与したことを特徴とする。
【０００９】
本発明の第２の態様は、前記第１の態様記載の、パターニングにより新たな隠蔽情報を付与した接着層が、透明であることを特徴とする。
【００１０】
本発明の第３の態様は、前記第１の態様記載のパターニングにより新たな隠蔽情報を付与した接着層が、着色されていることを特徴とする。
【００１１】
本発明の第４の態様は、前記第１乃至第３の何れかの態様において、パターニングにより新たな隠蔽情報を付与した接着層に、蛍光体が添加されていることを特徴とする。
【００１２】
本発明の第５の態様は、前記第１乃至第４の何れかの態様において、情報隠蔽シートが、情報隠蔽媒体貼付隠蔽葉書、２つ折隠蔽葉書、または３つ折り隠蔽葉書の何れかであることを特徴とする。
【００１３】
本発明の第６の態様は、前記第１乃至第４の何れかの態様において、情報隠蔽シートが、プラスチック基材もしくは紙基材上の全面もしくは一部に記載された被隠蔽情報を情報隠蔽部材により隠蔽する機能を備えたことを特徴とする。
【００１４】
本発明の第７の態様は、前記第１乃至第４の何れかの態様において、情報隠蔽シートの裏面に粘着層が設けられ、別媒体上に貼付するとともに前記別媒体上に記載された被隠蔽情報を隠蔽する隠蔽シールであることを特徴とする。
【００１５】
本発明の第８の態様は、前記第１乃至第４の何れかの態様において、情報隠蔽シートの裏面に粘着層が設けられるとともに、情報隠蔽シート中に隠蔽情報を含む隠蔽シールであることを特徴とする。
【００１６】
なお、第1乃至第８の何れかの態様における剥離部構成は、
基材上に、順に接着層、剥離層、情報隠蔽部材という構成となっており、前記基材側に接着層による情報が形成されている情報隠蔽シート、
基材上に、順に剥離層、接着層、情報隠蔽部材という構成となっており、前記情報隠蔽部材側に接着層による情報が形成されている情報隠蔽シート
の２通りの構成が可能である。
【発明の効果】
【００１７】
本発明における第１乃至第８の態様によれば、被隠蔽情報に加え、接着層により付与される文字情報もしくは意匠により、例えば企業名を表示するもしくは意匠性を有するロゴを表示することによる広告宣伝という効果がある。
【００１８】
さらに、意匠性を有した接着層を用いることにより、無味乾燥な被隠蔽情報を見る行為に加えて、エンターテイメント的な効果もしくは癒しを加える効果がある。
【００１９】
前記パターニングされた接着層は、概接着層の有無により、反射および散乱の度合いが変化するので、透明であっても容易に認識可能である。
【００２０】
さらに、接着層の着色により、接着層による情報をより認識しやすくするとともに、着色されたことによる意匠性の向上という効果がある。
【００２１】
また、本発明における第８の態様によれば、非情報隠蔽基材上に非隠蔽情報を印刷することなく、接着層により被隠蔽情報を形成することも可能である。この場合、被隠蔽情報の印刷工程を減らすという効果がある。また、接着層により被隠蔽情報を形成する場合、接着層が透明である必要はなく、着色により接着層による情報をより認識しやすくするとともに、着色されたことによる意匠性の向上という効果がある。
【００２２】
本発明における第４の態様によれば、第１乃至第３の何れかの態様による効果に加え、本発明における情報隠蔽シートに蛍光体添加により真偽判定機能が付与されたことによるセキュリティー性の向上という効果がある。
【図面の簡単な説明】
【００２３】
【図１】（ａ）〜（ｃ）は本発明による第1実施形態の、情報隠蔽部材剥離後の概念図及びその矢視断面図である。
【図２】本発明による第２実施形態の、プラスチックカードの表側平面図および情報隠蔽部材剥離後の概念図である。
【図３】（ａ）、（ｂ）は、図２の、プラスチックカードのＡ−Ａ’線断面図である。
【図４】本発明による第３実施形態中の隠蔽シールの構成断面図である。
【図５】本発明による第４実施形態中の隠蔽シールの構成断面図である。
【図６】本発明による第１乃至第４実施形態中の情報隠蔽シートにおいて、接着層が被隠蔽情報側に残存する場合の、剥離部の断面図である。
【図７】本発明による第１乃至第４実施形態中の情報隠蔽シートにおいて、接着層が被隠蔽情報側に残存する場合の情報隠蔽部材剥離後の接着層による文字もしくは意匠情報の概念図である。
【図８】本発明による第５実施形態中の情報隠蔽シートにおいて、接着層が情報隠蔽部材側に残存する場合の、剥離部の断面図である。
【図９】本発明による第５実施形態中の情報隠蔽シートにおいて、接着層が情報隠蔽部材側に残存する場合の隠蔽層剥離後の接着層による文字もしくは意匠情報の概念図である。
【発明を実施するための形態】
【００２４】
以下、本発明の実施の形態について図面を参照して説明する。
【００２５】
（第１実施形態）  本発明の実施形態として、情報隠蔽葉書を提供する。
【００２６】
図１は本発明による情報隠蔽葉書の説明図である。図１（ａ）は情報隠蔽媒体貼付隠蔽葉書１、図１（ｂ）は２つ折隠蔽葉書２、図１（ｃ）は３つ折り隠蔽葉書３の実施形態の断面図及び非隠蔽情報取得時の概略図である。
【００２７】
図１（ａ）、（ｂ）、（ｃ）に示すとおり、情報隠蔽葉書は、３様の方式が一般的である。
【００２８】
図１（ａ）は、基材４上すなわち葉書の被隠蔽情報上に情報隠蔽部材６を貼付した隠蔽葉書であり、葉書全面もしくは一部の隠蔽情報を情報隠蔽部材６にて隠蔽する。
【００２９】
図１（ｂ）は、２つ折隠蔽葉書であり、２つ折の内面に記載された情報を隠蔽している。図１（ｂ）に示す葉書上紙片７が情報隠蔽基材６に相当する。
【００３０】
図１（ｃ）は、３つ折隠蔽葉書であり、３つ折の内面に記載された情報を隠蔽している。図１（ｃ）に示す葉書上紙片７及び葉書中紙片８が情報隠蔽基材６に相当する。
【００３１】
非隠蔽情報記録基材４上に、被隠蔽記載を記載した後に、必要に応じて目止め層９を形成し、情報をパターニングにした接着層５を形成する。必要に応じて接着層５上に剥離層１０を形成した後、情報隠蔽部材６を貼付、もしくは葉書を２つ折、もしくは葉書を３つ折した後、ウェットまたはセミウェットラミネート方式、熱圧着方式や感圧方式によって貼りあわせる。
【００３２】
本発明の第1の態様である隠蔽葉書において、図１（ａ）に示す情報隠蔽部材６を貼付した隠蔽葉書は、基材４である葉書基材と貼付される情報隠蔽部材６の材質は異なっても良く、図１（ｂ）に示す２つ折隠蔽葉書及び、図１（ｃ）３つ折隠蔽葉書においては基材４である葉書基材と情報隠蔽部材６の材質は連続で同一の基材が用いられ、充分な強度とプリンターによる印字適正及び搬送適正を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル、ポリカーボネート等の樹脂フィルムであっても良く、基材厚さは、通常は２０〜２００μm程度が好ましい。
【００３３】
図１（ａ）に示す情報隠蔽部材６を貼付した隠蔽葉書は、基材４である葉書基材と貼付される情報隠蔽部材６を、図１（ｂ）に示す２つ折隠蔽葉書及び、図１（ｃ）３つ折隠蔽葉書においては基材４と情報隠蔽部材６に相当する葉書上紙片７もしくは葉書中紙片８と情報隠蔽部材６を剥離可能にするための剥離層１０は、情報隠蔽部材６が基材４から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂当の熱可塑性樹脂及びこれらの混合物からなるフィルムでも良い。
【００３４】
また、ポリウレタン等の熱硬化性樹脂等から形成されたフィルムを用いても良い。
【００３５】
さらに、所望に応じて、酸化防止剤、熱安定剤、紫外線吸収剤、スリップ剤、帯電防止剤、防曇剤、着色剤、フィラー等が添加されていても良い。
【００３６】
剥離層１０を形成するための樹脂の塗布量・塗布厚は特に限定されないが、好ましくは塗布厚は０．１〜１０μmである。
【００３７】
情報を形成する接着層５は、接着剤として、例えばウレタン系、アクリル系などの熱可塑性樹脂を使用することができ、例えばグラビア法、インクジェット法、スクリーン印刷、オフセット法等の印刷法により、厚さ０．１〜５０μm程度にパターニングされた文字もしくは意匠情報、もしくは文字および意匠情報等の伝達情報がパターニングされた状態に印刷し、貼り合わせ後に必要に応じて乾燥させる。
【００３８】
この時のパターニングされた情報の最小サイズは、例えば文字であれば１ｍｍ×１ｍｍ程度である。
【００３９】
また、基材４とパターニングされた接着層５との間には、必要に応じて目止め層９を形成する。
【００４０】
基材４と、情報隠蔽部材６とは、接着層５が乾燥していない状態で貼りあわせるウェットまたはセミウェットラミネート方式、熱圧着方式や感圧方式によって貼りあわせる。
【００４１】
（第２実施形態）本発明の実施形態として、情報隠蔽媒体を提供する。
【００４２】
本発明の第２の態様は、情報隠蔽シートが、図２及び図３に示すように情報隠蔽部材６を剥離することによって被隠蔽情報が認識できる状態になる情報隠蔽媒体１２であって、被隠蔽情報を隠蔽するために、情報記録基材４と、前記情報記録基材の被隠蔽情報上に設けられた接着層５を介して前記情報記録基材４から剥離可能な状態で重ね合わされた情報隠蔽部材６を有するプラスチックカード、紙券等の情報隠蔽媒体であって、
前記接着層５が、パターニングにより文字もしくは意匠情報を有している、もしくは文字および意匠情報を有していることを特徴とする。
【００４３】
図２は、本発明による第２実施形態の、プラスチックカードの表側平面図および情報隠蔽部材剥離後の概念図であり、図３（ａ）は目止め層が無い場合、図３（ｂ）は目止め層が無い場合の図２の、プラスチックカードのＡ−Ａ’線断面図である。
【００４４】
本発明の第２の態様であるプラスチックカード、紙券等の情報隠蔽媒体において、図２及び図３に示す基材４は、充分な強度とプリンターによる印字適正及び搬送適正を有するものであれば使用でき、例えば、上質紙、クラフト紙、複写用紙、グラシン紙、パーチメント紙、レーヨン紙、コート紙、合成紙、樹脂フィルムによりラミネートされた紙等、及びセロファン、延伸ポリプロピレン、ポリエチレンテレフタレート、延伸ポリスチレン、ポリ塩化ビニル、ポリカーボネート等の樹脂基材が用いられ、基材の厚さは、通常は５０〜５００μm程度が好ましい。
【００４５】
基材４と情報隠蔽部材６を剥離可能にするための剥離層１０は、情報隠蔽部材６が基材４から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂当の熱可塑性樹脂及びこれらの混合物からなるフィルムでも良い。
【００４６】
また、ポリウレタン等の熱硬化性樹脂等から形成されたフィルムを用いても良い。
【００４７】
さらに、所望に応じて、酸化防止剤、熱安定剤、紫外線吸収剤、スリップ剤、帯電防止剤、防曇剤、着色剤、フィラー等が添加されていても良い。
【００４８】
剥離層１０を形成するための樹脂の塗布量・塗布厚は特に限定されないが、好ましくは塗布厚は０．１〜１０μmである。
【００４９】
情報を形成する接着層５は、接着剤として、例えばウレタン系、アクリル系などの熱可塑性樹脂を使用することができ、例えばグラビア法、インクジェット法、スクリーン印刷、オフセット法等の印刷法により、厚さ０．１〜５０μm程度にパターニングされた文字もしくは意匠情報、もしくは文字および意匠情報等の伝達情報がパターニングされた状態に印刷し、貼り合わせ後に必要に応じて乾燥させる。
【００５０】
この時のパターニングされた情報の最小サイズは、例えば文字であれば１ｍｍ×１ｍｍ程度である。
【００５１】
また、基材４とパターニングされた接着層５との間には、必要に応じて目止め層９を形成する。
【００５２】
基材４と、情報隠蔽部材６とは、接着層５が乾燥していない状態で貼りあわせるウェットまたはセミウェットラミネート方式、熱圧着方式や感圧方式によって情報隠蔽部材６と貼りあわせる。
【００５３】
（第３実施形態）本発明の実施形態として、別媒体上の被隠蔽情報を隠蔽する隠蔽シールを提供する。
【００５４】
本発明の第３の態様は、情報隠蔽シートが、図４の構成断面図に示すように、情報隠蔽部材６を剥離することによって被隠蔽情報が認識できる状態になる隠蔽シール１３であって、被隠蔽情報を隠蔽するために、透明シート基材１４と、前記透明シート基材１４上に設けられた接着層５及び剥離層１０を介して前記透明シート基材１４から剥離可能な状態で重ね合わされた情報隠蔽部材６を有し、透明シート基材１４裏面に、別媒体への貼付を行うための透明粘着層１５と剥離シート１６を有するものである。
【００５５】
前記接着層５は、別媒体上に記載された被隠蔽情報の読み取りを阻害しないよう、透明もしくは半透明であり、パターニングにより文字もしくは意匠情報を付与する。もしくは被隠蔽情報の読み取りを阻害しない位置に透明もしくは半透明もしくは非透明な接着剤により形成され、パターニングにより文字もしくは意匠情報を付与する。
【００５６】
本発明の第３の態様である情報隠蔽媒体において、図４に示す透明シート基材１４は、充分な強度と別媒体上の被隠蔽情報の読み取りが可能なレベルの透明性を有するものであれば使用でき、例えば、セロファン、延伸ポリプロピレン、ポリエチレンテレフタレート、延伸ポリスチレン、ポリ塩化ビニル、ポリカーボネート等の樹脂基材が用いられ、基材厚さは、通常は２０〜２００μm程度が好ましい。
【００５７】
基材４と情報隠蔽部材６を剥離可能にするための剥離層１０は、情報隠蔽部材６が基材４から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂当の熱可塑性樹脂及びこれらの混合物からなるフィルムでも良い。
【００５８】
また、ポリウレタン等の熱硬化性樹脂等から形成されたフィルムを用いても良い。
【００５９】
さらに、所望に応じて、酸化防止剤、熱安定剤、紫外線吸収剤、スリップ剤、帯電防止剤、防曇剤、着色剤、フィラー等が添加されていても良い。
【００６０】
剥離層１０を形成するための樹脂の塗布量・塗布厚は特に限定されないが、好ましくは塗布厚は０．１〜１０μmである。
【００６１】
情報を形成する接着層５は、接着剤として、例えばウレタン系、アクリル系などの熱可塑性樹脂を使用することができ、例えばグラビア法、インクジェット法、スクリーン印刷、オフセット法等の印刷法により、厚さ０．１〜５０μm程度にパターニングされた文字もしくは意匠情報、もしくは文字および意匠情報等の伝達情報がパターニングされた状態に印刷し、貼り合わせ後に必要に応じて乾燥させる。
【００６２】
この時のパターニングされた情報の最小サイズは、例えば文字であれば１ｍｍ×１ｍｍ程度である。
【００６３】
また、基材４とパターニングされた接着層５との間には、必要に応じて目止め層９を形成する。
【００６４】
基材４と、情報隠蔽部材６とは、接着層５が乾燥していない状態で貼りあわせるウェットまたはセミウェットラミネート方式、熱圧着方式や感圧方式によって情報隠蔽部材６と貼りあわせる。
【００６５】
粘着層１５は、別媒体上にに隠蔽シール１３を貼付可能とする層であり、アクリル系粘着剤が最も好ましいが、天然ゴム系粘着剤、合成ゴム系粘着剤、シリコーンゴム系粘着剤等でもよい。粘着層１５の塗布量・塗布厚は特に限定されないが、好ましくは、塗布量は０．１〜５０ｇ／ｍ2であり、塗布厚は０．１〜５０μｍである。 被隠蔽情報を記載した別媒体に対する粘着層１５の接着力は、剥離層１０と情報隠蔽部材６との接着力よりも大きい必要があり、被隠蔽情報を記載した別媒体に応じて、適宜、調整が必要である。 また、剥離シート１６と粘着層１５との接着力は、製品の使用時に、情報隠蔽部材６と透明シート基材１４を剥離させないために、剥離シート１６と粘着層１５との接着力よりも小さい必要がある。
【００６６】
剥離シート１６は、粘着層１５を保護する紙である。剥離シート１６の粘着層１５側の面には、シリコーン系離型剤などにより剥離処理がなされている。剥離シート１６の厚さは、特に限定はされないが、通常２０〜２００μｍ、好ましくは４０〜１００μｍ程度である。
【００６７】
（第４実施形態）本発明の実施形態として、被隠蔽情報を含む隠蔽シールを提供する。
【００６８】
本発明の第４の態様は、情報隠蔽シートが、第３の態様が、別媒体上の被隠蔽情報を隠蔽するための隠蔽シールであり隠蔽情報を含まないのに対し、情報隠蔽シート中に被隠蔽情報を含むものである。
【００６９】
第３の態様においては、別媒体上の被隠蔽情報の読み取りが可能となるよう、透明シート基材１４及び接着層１５が被隠蔽情報の読み取りを阻害しないレベルの透明性を必要としているのに対し、本第４の態様では、図５の構成断面図に示すように、シート基材１７上に被隠蔽情報が記載されているため、透明シート基材１４及び接着層１５が透明でなくても良いことを特徴とする。
【００７０】
（第５実施形態）本発明の実施形態として、第１乃至第４の何れかの態様において、剥離される情報隠蔽部材６側に接着層が伝達情報を形成される情報隠蔽シートを提供する。
【００７１】
第１乃至第４の態様において、接着剤のパターニングにより文字及び意匠等の情報が形成された接着層5が情報隠蔽部材６剥離後に被隠蔽情報上に表示されるのに対し、本発明の第５の態様においては、接着剤のパターニングにより文字及び意匠等の情報が形成された接着層5が情報隠蔽部材６剥離後に情報隠蔽部材６裏面に形成されていることを特徴とする。
【００７２】
第１乃至第４の態様においては、基材４もしくは透明シート基材１４もしくはシート基材１７上に、順に必要に応じて目止め層９、接着層５、剥離層１０、情報隠蔽部材６が形成されるのに対し、本発明の第５の態様においては、図６の構成断面図に示すように基材４もしくは透明シート基材１４もしくはシート基材１７上に、順に必要に応じて剥離層１０、接着層５、必要に応じて目止め層９、情報隠蔽部材６が形成される。
【００７３】
図７に、本発明の第１乃至第４の態様における、接着剤のパターニングにより文字及び意匠等の情報が形成された接着層５による情報の表示の実施例を示す。
【００７４】
また、図８に、本発明の第５の態様における、接着剤のパターニングにより文字及び意匠等の情報が形成された接着層５による情報の表示の実施例を示す。
【００７５】
（第６実施形態）本発明の実施形態として、第１乃至第５の何れかの態様において、接着層5が蛍光体を含有する接着剤のパターニングにより文字及び意匠等の情報が形成された、情報隠蔽シートを提供する。
【００７６】
情報を形成する接着層５は、接着剤として、例えばウレタン系、アクリル系などの熱可塑性樹脂を使用することができる。前記接着層５を形成する接着剤添加する蛍光体として、電磁波により励起され発光する、例えばＣａ2Ｂ5Ｏ9Ｃｌ：Ｅｕ2+、ＣａＷＯ4、ＺｎＯ：Ｚｎ、Ｚｎ2ＳｉＯ4：Ｍｎ、Ｙ2Ｏ2Ｓ：Ｅｕ、ＺｎＳ：Ａｇ、ＹＶＯ4：Ｅｕ、Ｙ2Ｏ3：Ｅｕ、Ｇｄ2Ｏ2Ｓ：Ｔｂ、Ｌａ2Ｏ2Ｓ：Ｔｂ、Ｙ3Ａｌ5Ｏ12：Ｃｅ、Ｓｒ5（ＰＯ4）3Ｃｌ：Ｅｕ、３（Ｂａ，Ｍｇ）Ｏ・８Ａｌ2Ｏ3：Ｅｕ、Ｚｎ2ＧｅＯ4：Ｍｎ、Ｙ（Ｐ，Ｖ）Ｏ4：Ｅｕ、０．５ＭｇＦ２・３．５ＭｇＯ・ＧｅＯ2：Ｍｎ、ＺｎＳ：Ｃｕ、ＺｎＳ：Ｍｎなどの紫外光励起可視光発光型蛍光体、ＹＦ3：Ｙｂ＋Ｅｒ、ＹＦ3：Ｙｂ＋Ｔｍ、ＢａＦＣｌ：Ｙｂ＋Ｅｒなどの赤外光励起可視光発光型の蛍光体、さらには染料系の蛍光体等を使用することができる。
【００７７】
蛍光体を励起する電磁波としては、紫外線、可視光、赤外線が主に使用され、発光光を観察することにより真偽判定が可能となる。蛍光体としては、一般的な蛍光体だけでなく、アップコンバージョン型の蛍光体の使用も可能である。蛍光体は、顔料であっも染料であっても良い。一般的には紫外光励起可視光発光型が用いられる。蛍光体を添加した接着剤は、第１乃至第５の形態における方法と同様に、グラビア法、インクジェット法、スクリーン印刷、オフセット法等の印刷法により、厚さ０．１〜５０μm程度にパターニングされた文字もしくは意匠情報、もしくは文字および意匠情報等の伝達情報がパターニングされた状態に印刷し、情報隠蔽部材６と貼り合わせ後に必要に応じて乾燥させる。
【産業上の利用可能性】
【００７８】
本発明は、例えば隠蔽葉書などの貼り合わせ製品もしくはくじ等の準金券類のようなものに利用可能である。
【符号の説明】
【００７９】
１  情報隠蔽媒体貼付隠蔽葉書
２  ２つ折隠蔽葉書
３  ３つ折隠蔽葉書
４  基材
５  接着層
６  情報隠蔽部材
７  葉書上紙片
８  葉書中紙片
９  目止め層
１０  剥離層
１１  折目線
１２  プラスチックカード、紙券等の情報隠蔽媒体
１３  隠蔽シール
１４  透明シート基材
１５  透明粘着層
１６  剥離シート
１７  シート基材
【図１】
0005531820.tif 000002
【図２】
0005531820.tif 000003
【図３】
0005531820.tif 000004
【図４】
0005531820.tif 000005
【図５】
0005531820.tif 000006
【図６】
0005531820.tif 000007
【図７】
0005531820.tif 000008
【図８】
0005531820.tif 000009
【図９】
0005531820.tif 000010